(57)【要約】【課題】被写体から放射されるミリ波帯の熱雑音を受信することにより、被写体を撮像するミリ波撮像装置において、周囲の不要な熱雑音の影響を受けることなく、被写体を撮像できるようにする。【解決手段】ミリ波撮像装置は、前後左右の側壁と天井及び床を構成する６枚の矩形の遮蔽板１〜６にて構成される撮像室８と、撮像室８内に入った撮像対象者を被写体５０として撮像する撮像装置本体１０とを備える。撮像室８を構成する６枚の遮蔽板１〜６の内、少なくとも、撮像装置本体１０側の遮蔽板１、及び、遮蔽板１に対向する遮蔽板２は、樹脂製の板状ケース内に水を充填してなる冷却板にて構成されており、内部の水は、外部の循環装置を介して、冷却されつつ循環される。【選択図】図２
2015114162.tif 000002
【特許請求の範囲】
【請求項１】
被写体から放射されるミリ波帯の熱雑音を受信し、該熱雑音の受信レベルから前記被写体の画像データを生成する撮像装置本体と、
前記ミリ波帯の熱雑音が通過するのを阻止する複数の遮蔽板を、前記被写体を収容可能な空間周囲に配置することにより構成され、前記撮像装置本体にて前記被写体を撮像するための撮像室と、
を備え、
前記複数の遮蔽板の内、少なくとも、前記撮像装置本体側に配設される第１遮蔽板、及び、前記被写体を収容可能な空間を挟んで前記撮像装置本体とは反対側に配設される第２遮蔽板は、合成樹脂製の板状ケース内に、前記熱雑音を吸収可能、且つ、周囲を冷却可能な流体を充填してなる冷却板にて構成されていることを特徴とするミリ波撮像装置。
【請求項２】
前記撮像室は、
前記第１遮蔽板及び第２遮蔽板と、
前記第１遮蔽板及び第２遮蔽板の両側端をそれぞれ接続して側壁を形成する第３遮蔽板及び第４遮蔽板と、
前記第１遮蔽板、前記第２遮蔽板、前記第３遮蔽板、前記第４遮蔽板の上端及び下端をそれぞれ接続して、前記撮像室の天井及び床を構成する第５遮蔽板及び第６遮蔽板と、
により構成されていることを特徴とする請求項１に記載のミリ波撮像装置。
【請求項３】
前記第１遮蔽板及び前記第５遮蔽板は、板面が湾曲した合成樹脂製のケース内に前記流体を充填した一つの冷却板にて構成されていることを特徴とする請求項２に記載のミリ波撮像装置。
【請求項４】
前記冷却板を構成する前記板状ケースは、当該板状ケースの周縁で互いに対向する位置に、それぞれ、前記板状ケース内に前記流体を供給・排出するための開口を備え、
前記開口には、前記板状ケース内に前記流体を供給・排出することにより、前記板状ケース内で前記流体を循環させる循環装置が接続されていることを特徴とする請求項１〜請求項３の何れか１項に記載のミリ波撮像装置。
【請求項５】
前記冷却板を構成する前記板状ケース内には、前記流体が供給される開口側から前記流体を排出する開口側へと前記流体を流すための複数の流路を形成する流体ガイドが設けられていることを特徴とする請求項４に記載のミリ波撮像装置。
【請求項６】
前記冷却板は、前記板状ケースに形成された２つの開口の内、前記流体が供給される開口が、前記流体を排出する開口よりも下方に位置するように配置されることを特徴とする請求項４又は請求項５に記載のミリ波撮像装置。
【請求項７】
前記冷却板を構成する前記板状ケースにおいて、前記撮像室とは反対側の外壁には、前記熱雑音を反射する導電材が積層されていることを特徴とする請求項４〜請求項６の何れか１項に記載のミリ波撮像装置。
【請求項８】
前記冷却板を構成する前記板状ケースは、透明な合成樹脂にて形成されていることを特徴とする請求項１〜請求項７の何れか１項に記載のミリ波撮像装置。
【発明の詳細な説明】
【技術分野】
【０００１】
本発明は、被写体から放射されるミリ波帯の熱雑音を受信することにより被写体を撮像するミリ波撮像装置に関する。
【背景技術】
【０００２】
従来、空港等で乗客が隠し持っている武器や密輸品等の物品を検出するために、乗客等の被写体から放射されるミリ波帯の熱雑音を受信することにより、被写体の画像を撮像する、ミリ波撮像装置が知られている。
【０００３】
また、この種のミリ波撮像装置においては、被写体周囲の熱雑音の影響を受けることなく、被写体の画像を撮像できるようにするため、ミリ波撮像装置の周囲に電波吸収体を設け、被写体を挟んでミリ波撮像装置とは反対側に金属板を設けることが提案されている（例えば、特許文献１参照）。
【０００４】
つまり、この提案のミリ波撮像装置では、ミリ波撮像装置の後方から被写体に向けて侵入する熱雑音を電波吸収体にて吸収（遮断）すると共に、被写体の後方からミリ波撮像装置に向けて侵入する熱雑音を金属板にて遮断し、さらに、その金属板にて反射した不要な熱雑音を電波吸収体にて吸収する。
【０００５】
また、上記提案のミリ波撮像装置においては、電波吸収体自体が発生する熱雑音を低減するため、空調装置を利用して電波吸収体を冷却するようにしている。
【先行技術文献】
【特許文献】
【０００６】
【特許文献１】特開２０１３−０９６８１１号公報
【発明の概要】
【発明が解決しようとする課題】
【０００７】
しかしながら、上記提案のミリ波撮像装置は、空調装置により冷却可能な電波吸収体をミリ波撮像装置側に設け、被写体を挟んでミリ波撮像装置とは反対側に金属板を設けるだけであるので、ミリ波撮像装置に入射する不要な熱雑音を充分低減することができず、被写体の撮像画像（ミリ波画像）から物品を検出できないことがあった。
【０００８】
つまり、上記提案のミリ波撮像装置においては、被写体の前・後には電波吸収体若しくは金属板が配置されるが、被写体の上下左右は開放されていて、被写体周囲に外部の熱雑音が侵入する。
【０００９】
また、金属板は熱雑音を反射するので、被写体の後方から入射する熱雑音を遮断することはできるが、金属板からは温度に応じて熱雑音が放射される。
このため、上記提案のミリ波撮像装置においては、ミリ波撮像装置に入射する不要な熱雑音を充分低減することができず、特に周囲温度が高くなった場合には、不要な熱雑音が増加して、被写体を良好に撮像することができないという問題が発生する。
【００１０】
本発明は、こうした問題に鑑みなされたものであり、人体などの被写体から放射されるミリ波帯の熱雑音を受信することにより、被写体を撮像するミリ波撮像装置において、周囲の不要な熱雑音の影響を受けることなく、被写体を撮像できるようにすることを目的とする。
【課題を解決するための手段】
【００１１】
かかる目的を達成するためになされた請求項１に記載のミリ波撮像装置は、
前記被写体から放射されるミリ波帯の熱雑音を受信し、該熱雑音の受信レベルから前記被写体の画像データを生成する撮像装置本体と、
前記ミリ波帯の熱雑音が通過するのを阻止する複数の遮蔽板を、前記被写体を収容可能な空間周囲に配置することにより構成され、前記撮像装置本体にて前記被写体を撮像するための撮像室と、
を備え、
前記複数の遮蔽板の内、少なくとも、前記撮像装置本体側に配設される第１遮蔽板、及び、前記被写体を収容可能な空間を挟んで前記撮像装置本体とは反対側に配設される第２遮蔽板は、合成樹脂製の板状ケース内に、前記熱雑音を吸収可能、且つ、周囲を冷却可能な流体を充填してなる冷却板にて構成されていることを特徴とする。
【００１２】
また、請求項２に記載の発明は、請求項１に記載のミリ波撮像装置において、
前記撮像室は、
前記第１遮蔽板及び第２遮蔽板と、
前記第１遮蔽板及び第２遮蔽板の両側端をそれぞれ接続して側壁を形成する第３遮蔽板及び第４遮蔽板と、
前記第１遮蔽板、前記第２遮蔽板、前記第３遮蔽板、前記第４遮蔽板の上端及び下端をそれぞれ接続して、前記撮像室の天井及び床を構成する第５遮蔽板及び第６遮蔽板と、
により構成されていることを特徴とする。
【００１３】
また、請求項３に記載の発明は、請求項２に記載のミリ波撮像装置において、
前記第１遮蔽板及び前記第５遮蔽板は、板面が湾曲した合成樹脂製のケース内に前記流体を充填した一つの冷却板にて構成されていることを特徴とする。
【００１４】
また、請求項４に記載の発明は、請求項１〜請求項３の何れか１項に記載のミリ波撮像装置において、
前記冷却板を構成する前記板状ケースは、当該板状ケースの周縁で互いに対向する位置に、それぞれ、前記板状ケース内に前記流体を供給・排出するための開口を備え、
前記開口には、前記板状ケース内に前記流体を供給・排出することにより、前記板状ケース内で前記流体を循環させる循環装置が接続されていることを特徴とする。
【００１５】
また、請求項５に記載の発明は、請求項４に記載のミリ波撮像装置において、
前記冷却板を構成する前記板状ケース内には、前記流体が供給される開口側から前記流体を排出する開口側へと前記流体を流すための複数の流路を形成する流体ガイドが設けられていることを特徴とする。
【００１６】
また、請求項６に記載の発明は、請求項４又は請求項５に記載のミリ波撮像装置において、
前記冷却板は、前記板状ケースに形成された２つの開口の内、前記流体が供給される開口が、前記流体を排出する開口よりも下方に位置するように配置されることを特徴とする。
【００１７】
また、請求項７に記載の発明は、請求項４〜請求項６の何れか１項に記載のミリ波撮像装置において、
前記冷却板を構成する前記板状ケースにおいて、前記撮像室とは反対側の外壁には、前記熱雑音を反射する導電材が積層されていることを特徴とする。
【００１８】
また、請求項８に記載の発明は、請求項１〜請求項７の何れか１項に記載のミリ波撮像装置において、
前記冷却板を構成する前記板状ケースは、透明な合成樹脂にて形成されていることを特徴とする。
【発明の効果】
【００１９】
請求項１に記載のミリ波撮像装置においては、複数の遮蔽板を、被写体を収容可能な空間周囲に配置することにより構成された撮像室を備える。
このため、本発明のミリ波撮像装置によれば、撮像装置本体にて、この撮像室内の被写体を撮像することで、外部から侵入する熱雑音の影響を受けること無く、被写体を撮像することができる。
【００２０】
また、撮像室を構成する複数の遮蔽板の内、少なくとも、撮像装置本体側に配設される第１遮蔽板、及び、被写体を収容可能な空間を挟んで撮像装置本体とは反対側に配設される第２遮蔽板は、合成樹脂製の板状ケース内に、前記熱雑音を吸収可能、且つ、周囲を冷却可能な流体を充填してなる冷却板にて構成されている。
【００２１】
このため、本発明のミリ波撮像装置によれば、外部から撮像室内に不要な熱雑音が侵入するのを防止できるだけでなく、冷却板内に充填された流体により、撮像室内で発生した不要な熱雑音を吸収して、不要な熱雑音が撮像装置本体に入射するのを防止できる。また、冷却板内の流体により、撮像室内の温度が上昇するのを抑制することができるので、遮蔽板から放射される熱雑音を低減することができる。
【００２２】
よって、本発明のミリ波撮像装置によれば、上述した従来のミリ波撮像装置に比べ、被写体の撮像画像（ミリ波画像）が、周囲の不要な熱雑音の影響を受けるのをより確実に防止することができ、その撮像画像から被写体に隠された物品を検出する際の検出精度を高めることができる。
【００２３】
なお、冷却板に充填する流体としては、水道水など、一般的な水を利用することができる。つまり、水は、ミリ波帯の電波を吸収する電波吸収体として機能し、また、循環させることで、周囲を冷却することもできるので、上記流体として水を利用することで、本発明のミリ波撮像装置を低コストで実現できる。
【００２４】
但し、流体としては、例えば、水よりも冷却効果のある流体を利用してもよく、或いは、水に冷媒を混入させた流体を利用してもよい。
次に、請求項２に記載のミリ波撮像装置においては、撮像室を構成する複数の遮蔽板が、撮像装置本体側及び撮像装置本体とは反対側にそれぞれ配置される第１遮蔽板及び第２遮蔽板と、第１遮蔽板及び第２遮蔽板の両側端をそれぞれ接続して側壁を形成する第３遮蔽板及び第４遮蔽板と、これら第１〜第４遮蔽板の上端及び下端をそれぞれ接続して撮像室の天井及び床を構成する第５遮蔽板及び第６遮蔽板との、６つの遮蔽板にて構成される。
【００２５】
このため、撮像室の内部空間は、６つの遮蔽板からなる６面体形状となり、撮像室は、その６つの遮蔽板を組み合わせることにより、簡単に組み立てることができる。
また、６つの遮蔽板は、扁平な板状体にて構成することができるので、容易に運搬することができる。よって、本発明のミリ波撮像装置を実現するに当たって、撮像室を任意の場所に設置することができるようになり、ミリ波撮像装置の用途を拡大することができる。
【００２６】
一方、請求項３に記載のミリ波撮像装置においては、請求項２に記載のミリ波撮像装置において撮像室を構成する６つの遮蔽板の内、撮像装置本体側に配置される第１遮蔽板と、撮像室の天井を構成する第５遮蔽板とが、板面が湾曲した合成樹脂製のケース内に流体を充填した一つの冷却板にて構成される。
【００２７】
このため、請求項３に記載のミリ波撮像装置によれば、請求項２に記載のものに比べ、撮像室を構成する遮蔽板の数を少なくすることができる。
次に、請求項４に記載のミリ波撮像装置においては、冷却板を構成する板状ケースにおいて、板状ケースの周縁で互いに対向する位置に、それぞれ、板状ケース内に流体を供給・排出するための開口が設けられている。
【００２８】
そして、その２つの開口には、板状ケース内に流体を供給・排出することにより、板状ケース内で前記流体を循環させる循環装置が接続されている。
従って、請求項４に記載のミリ波撮像装置によれば、冷却板を構成する板状ケース内に充填される流体を、循環装置を介して循環させることができ、その循環により流体を冷却させることができると共に、板状ケース内の温度分布を均一にして、冷却板による冷却効果（延いては熱雑音の抑制効果）を高めることができる。
【００２９】
また、請求項５に記載のミリ波撮像装置においては、冷却板を構成する板状ケース内に、流体が供給される開口側から流体を排出する開口側へと流体を流すための複数の流路を形成する流体ガイドが設けられている。
【００３０】
このため、請求項５に記載のミリ波撮像装置によれば、冷却板を構成する板状ケース内で温度むらが発生するのを防止し、冷却板による冷却効果（延いては熱雑音の抑制効果）をより一層高めることができる。
【００３１】
また、請求項６に記載のミリ波撮像装置において、冷却板は、板状ケースに形成された２つの開口の内、流体が供給される開口が、流体を排出する開口よりも下方に位置するように配置される。
【００３２】
このため、請求項６に記載のミリ波撮像装置によれば、循環装置を介して板状ケース内の流体を循環させることで、板状ケース内の空気が流体と共に上方の開口から排出されることになり、板状ケース内に空気が入り、その空気によって、板状ケース内で温度むらが発生するのを防止できる。
【００３３】
次に、請求項７に記載のミリ波撮像装置においては、冷却板を構成する板状ケースにおいて、撮像室とは反対側の外壁に、熱雑音を反射する導電材が積層されている。
このため、請求項７に記載のミリ波撮像装置によれば、冷却板において、板状ケース内の流体にて熱雑音を吸収することができるだけでなく、板状ケースの外壁に積層された導電材にて、流体では吸収することのできない外来ノイズ（例えば、携帯通信端末等で送受信される通信用の電波）が撮像室内に侵入するのを防止することができる。
【００３４】
よって、本発明のミリ波撮像装置によれば、被写体の撮像画像が、板状ケース内の流体では吸収することのできない外来ノイズの影響を受けるのを防止することができる。
なお、冷却板を構成する板状ケースの外壁に積層する導電材としては、金属板であってもよく、或いは、導電性を有する金属粉末をシート材に混入することにより形成される導電性シートであってもよい。
【００３５】
次に、請求項８に記載のミリ波撮像装置においては、冷却板を構成する板状ケースが、透明な合成樹脂にて形成される。
このため、請求項８に記載のミリ波撮像装置によれば、板状ケース内に充填する流体を、水等の透明性を有する液体にすれば、被写体として撮像室内に人が入った場合に、その人の視界が周囲の遮蔽板にて遮られ、その人に圧迫感を感じさせるのを防止できる。
【００３６】
なお、本発明のミリ波撮像装置において、請求項７に記載のように、板状ケースの外壁に導電材を積層する場合には、その導電材を、透明な導電性シートにて構成すればよい。つまり、このようにすれば、本発明の効果を得ることができる。
【図面の簡単な説明】
【００３７】
【図１】実施形態のミリ波撮像装置の構成を表す概略構成図である。
【図２】実施形態のミリ波撮像装置の分解斜視図である。
【図３】撮像装置本体１０の構成を表す概略構成図である。
【図４】冷却板の構成を表す説明図であり、(ａ)は冷却板を板面側から見た正面図、（ｂ）は冷却板を側端縁から見た断面図である。
【図５】変形例のミリ波撮像装置の構成を表す概略構成図である。
【図６】撮像室の底面にキャスタを設けたミリ波撮像装置の構成を表す概略構成図である。
【発明を実施するための形態】
【００３８】
以下に本発明の実施形態を図面と共に説明する。
図１、図２に示すように、本実施形態のミリ波撮像装置は、空港などで乗客が危険物を隠し持っていないかどうかをチェックするのに使用されるものであり、前後左右の側壁と天井及び床を構成する６枚の矩形の遮蔽板１〜６にて構成される撮像室８と、撮像室８内に入った撮像対象者を被写体５０として撮像する撮像装置本体１０と、を備える。
【００３９】
撮像装置本体１０は、被写体２から放射されるミリ波帯の熱雑音を受信することにより被写体２の画像を撮像するためのものであり、特許文献１に記載のものと同様、図３に示すように構成されている。
【００４０】
すなわち、図３に示すように、撮像装置本体１０は、ミリ波帯の熱雑音を受信するための複数の受信素子（図示せず）を直線状に配置することにより構成されたラインセンサ１２、ミリ波帯の熱雑音を集波してラインセンサ１２の各受信素子に入射させるためのレンズ１４、及び、被写体２から放射されたミリ波帯の熱雑音をレンズ１４に向けて反射する反射板１６、を備える。そして、これら各部は、ミリ波帯の熱雑音を遮蔽可能な金属板にて箱状に形成され、下方の側壁の一部が開口されたケース２０内に収納されている。
【００４１】
また、ラインセンサ１２は、受信素子の配列方向が水平方向となり、各受信素子へのミリ波の入射面が下方を向くように、ケース２０内の上方に固定されており、各受信素子からの受信信号をそれぞれ増幅する増幅回路や受信信号を検波する検波回路を内蔵している。そして、ラインセンサ１２の各検波回路により検波された検波信号（ミリ波の受信レベルを表す信号）は、撮像制御回路２４に出力される。
【００４２】
また、反射板１６は、ケース２０の側壁に形成された開口部２２からケース２０内に入射したミリ波を、レンズ１４を介してラインセンサ１２に導くためのものであり、ケース２０内の下方に、レンズ１４を挟んでラインセンサ１２と対向するよう配置されている。
【００４３】
なお、撮像室８を構成する遮蔽板１〜６の内、撮像装置本体１０が配置される撮像装置本体１０側の第１遮蔽板１には、撮像装置本体１０の開口部２２に対応する開口部１ａが形成されており、これら開口部２２、１ａ同士を合わせることで、被写体５０から放射された熱雑音が撮像装置本体１０に入射するようにされている。
【００４４】
また、反射板１６は、ラインセンサ１２の受信素子の配列方向と平行な回転軸１６ａを介して、ケース２０内の下方に取り付けられており、反射板１６の反射面は、回転軸１６ａ周りに回動可能である。
【００４５】
そして、反射板１６において、ラインセンサ１２と対向する反射面とは反対側の裏面で、且つ、回転軸１６ａから離れた位置には、反射板１６を回転軸１６ａ周りに回動させて、ラインセンサ１２に対する反射板１６の反射角度を調整するためのアクチュエータ１８が設けられている。
【００４６】
このアクチュエータ１８は、反射板１６の反射角度を変化させることで、レンズ１４を介してラインセンサ１２に入射されるミリ波帯の熱雑音の放射位置を、被写体２の頭部から足部にかけて変化させるものである。つまり、アクチュエータ１８は、被写体２を、頭部から足部にかけて垂直方向に走査させる。
【００４７】
撮像制御回路２４は、マイクロコンピュータを中心に構成されており、アクチュエータ１８を介して反射板１６の反射角度を変化させることで、被写体２の撮像位置を垂直方向に走査させつつ、所定の走査位置毎に、ラインセンサ１２から水平方向一ライン分の検波信号を順次取り込む。
【００４８】
そして、撮像制御回路２４は、その取り込んだ水平方向一ライン分の検波信号を垂直方向に並べることで、被写体２の撮像画像を表す画像データを生成し、外部のディスプレイや記憶装置へ出力する。
【００４９】
従って、本実施形態のミリ波撮像装置の使用者は、ミリ波撮像装置からの画像データ、若しくは、記憶装置に記憶された画像データに基づき、被写体２の撮像画像をディスプレイに表示することで、その表示画像から、被写体２である人が隠し持っている危険物等の隠匿物を検知することができる。
【００５０】
なお、撮像装置本体１０において、ケース２０の底面には、撮像装置本体１０を移動させるためのキャスタ２８が設けられており、６枚の遮蔽板１〜６を用いて撮像室８を組み立てた後、撮像室８に対し撮像装置本体１０を容易に設置できるようにされている。
【００５１】
次に、撮像室８は、６枚の遮蔽板１〜６の四辺を、連結具（図示せず）を介して互いに連結することで、箱状に組み立てられている。
そして、６枚の遮蔽板１〜６の内、撮像装置本体１０側に配設される第１遮蔽板１、及び、被写体を収容可能な空間を挟んで撮像装置本体１０とは反対側に配設される第２遮蔽板２は、合成樹脂製の透明な板状ケース３２内に水を充填してなる冷却板３０（図４参照）にて構成されている。
【００５２】
また、第１遮蔽板１及び第２遮蔽板２の両側端をそれぞれ接続して側壁を形成する第３遮蔽板３及び第４遮蔽板４と、第１遮蔽板１、第２遮蔽板２、第３遮蔽板３、及び第４遮蔽板４の上端及び下端をそれぞれ接続して、撮像室８の天井及び床を構成する第５遮蔽板５及び第６遮蔽板６は、ミリ波帯の熱雑音を反射可能な金属板にて構成されている。
【００５３】
図４に示すように、冷却板３０を構成する板状ケース３２の外周の内、撮像室８の床側に配置される外周端縁の中央部分には、板状ケース３２内に下方から水を供給するための給水口３４が形成されている。
【００５４】
また、撮像室８の天井側に配置される外周端縁の中央部分には、板状ケース３２内の水を上方から排出するための排水口３６が形成されている。
そして、これら給水口３４及び排水口３６は、本発明の開口に相当するものであり、水の流路となるパイプ３８を介して、循環装置４０に接続されている。
【００５５】
循環装置４０は、給水口３４から冷水を供給し、排水口３６から内部の水を排出させることで、板状ケース３２内の水を循環させるためのものであり、水を給排するためのポンプ４２と、ポンプ４２を介して給水口３４から板状ケース３２内に供給する水を冷却させる冷却部４４とを備える。
【００５６】
また、板状ケース３２内には、給水口３４から供給された冷水が、板状ケース３２の内部空間全体を通って、排水口３６側に流れるように、上下方向に複数本の流路を形成する流体ガイド３２ａが設けられている。なお、流体ガイド３２ａは、板状ケース３２の内部空間に流路を形成する仕切り板である。
【００５７】
また、板状ケース３２において、撮像室８の内部空間とは反対側に配置されて外壁を構成する、外側の板面には、透明なシート材に導電性金属粉末を混入させることで形成された導電性シート４６が積層されている。
【００５８】
この結果、本実施形態のミリ波撮像装置によれば、冷却板３０にて構成される第１遮蔽板１及び第２遮蔽板２の外壁に積層された導電性シート４６、及び、金属板にて構成された第３遮蔽板３〜第６遮蔽板６により、外部から撮像室８内にミリ波帯の熱雑音が侵入するのを防止できる。
【００５９】
また、冷却板３０にて構成された第１遮蔽板１及び第２遮蔽板２は、撮像装置本体１０側から撮像室８内に侵入する不要な熱雑音、及び、撮像装置本体１０とは反対側から撮像室８内に侵入する不要な熱雑音を、内部の水にて吸収することができるので、撮像室８内で発生した不要な熱雑音を低減することができる。
【００６０】
また、第１遮蔽板１及び第２遮蔽板２において、内部の水は、循環装置４０にて循環されることにより、撮像室８内を冷却して、各遮蔽板１〜６の温度上昇を抑えることができるので、各遮蔽板１〜６からの熱雑音の発生自体を抑えることができる。
【００６１】
よって、本実施形態のミリ波撮像装置によれば、撮像室８から撮像装置本体１０に入射する不要な熱雑音を低減して、撮像装置本体１０に対し、被写体５０の像を鮮明に撮像させ、その撮像画像から被写体５０に隠された物品を検出する際の検出精度を高めることができる。
【００６２】
なお、このように遮蔽板１〜６の温度上昇を抑えるためには、必ずしも内部の水を循環させる必要はなく、各遮蔽板１〜６の外側に断熱材を配置するようにしてもよい。また、水の循環構造と断熱材とを組み合わせるようにすれば、遮蔽板１〜６の温度上昇をより確実に抑えることができる。
【００６３】
また、遮蔽板１、２を構成する冷却板３０には、板状ケース３２の内部空間全体で水を循環させることができるように、流体ガイド３２ａが設けられているため、板状ケース３２内で温度ムラが生じるのを防止することができる。
【００６４】
また、循環装置４０から冷却板３０には、下方の給水口３４から冷水が供給され、上方の排水口３６から水が排出されることから、水を循環させることによって冷却板３０内に空気が溜まり、この空気によって温度ムラが生じるのを防止することもできる。
【００６５】
よって、本実施形態のミリ波撮像装置によれば、冷却板３０全体の温度を略均一にして、撮像室８全体を良好に冷却することができる。
また、本実施形態では、撮像室８が６枚の遮蔽板１〜６を箱状に組み付けることで構成されるため、遮蔽板１〜６を所望の設置場所に運ぶことで、撮像室８を任意の場所に簡単に設置することができ、ミリ波撮像装置の設置可能範囲（延いては用途）を拡大することができる。
【００６６】
また、第１遮蔽板１及び第２遮蔽板２を構成する冷却板３０を構成する板状ケース３２は透明であり、この板状ケース３２に積層される導電性シート４６も透明であるため、被写体５０として撮像室８に入った撮像対象者の視覚が遮られて、撮像対象者に圧迫感を与えるのを防止できる。
【００６７】
以上本発明の一実施形態について説明したが、本発明は上記実施形態に限定されるものではなく、本発明の要旨を逸脱しない範囲内にて、種々の態様をとることができる。
例えば、上記実施形態では、撮像室８は６枚の遮蔽板１〜６にて構成されており、その内の第１遮蔽板１及び第２遮蔽板２が冷却板３０にて構成され、残りの４枚は金属板にて構成されるものとして説明したが、残りの４枚の遮蔽板３〜６についても、冷却板３０にて構成してもよい。
【００６８】
また、残りの４枚の遮蔽板３〜６を金属板にて構成する場合、その金属板を、透明なシート材に導電性の金属粉末を混入させた導電性シートにて構成すれば、撮像室８内からは、これら遮蔽板３〜６を介して外を見渡せることができるようになり、撮像室８で撮像対象者の視覚が遮られるのを防止することができる。
【００６９】
また、図５に示すように、撮像室８の撮像装置本体１０側の壁面及び天井をそれぞれ構成する第１遮蔽板１及び第５遮蔽板５は、合成樹脂製の板状ケース３２の板面を湾曲させた一枚の冷却板を用いて、一つの遮蔽板７として構成してもよい。そして、このようにすれば、上記実施形態のミリ波撮像装置に比べ、遮蔽板の数を少なくすることができる。
【００７０】
また、上記実施形態では、撮像装置本体１０のケース２０の底面にキャスタ２８を設けることで、撮像装置本体１０を所望の位置に簡単に設置できるようにしているが、図６に示すように、撮像室８の底面（詳しくは撮像室８の床を構成する第６遮蔽板６）にキャスタ４８を設けてもよい。このようにすれば、組み立て後の撮像室８を、容易に移動できるようになり、設置作業を簡単にすることができる。
【００７１】
また更に、上記実施形態では、冷却板３０を構成する板状ケース３２内には、ミリ波帯の熱雑音を吸収し、且つ、撮像室８を冷却可能な流体として、水を充填するものとして説明したが、水以外の流体を充填するようにしてもよく、或いは、水に冷媒を混入させた流体を充填するようにしてもよい。
【符号の説明】
【００７２】
１〜７…遮蔽板（１…第１遮蔽板，２…第２遮蔽板，３…第３遮蔽板，４…第４遮蔽板，５…第５遮蔽板，６…第６遮蔽板）、８…撮像室、１０…撮像装置本体、１２…ラインセンサ、１４…レンズ、１６…反射板、１６ａ…回転軸、１８…アクチュエータ、２０…ケース、８ａ，２２…開口部、２４…撮像制御回路、２８，４８…キャスタ、３０…冷却板、３２…板状ケース、３２ａ…流体ガイド、３４…給水口、３６…排水口、３８…パイプ、４０…循環装置、４２…ポンプ、４４…冷却部、４６…導電性シート、５０…被写体。
【図１】
2015114162.tif 000003
【図２】
2015114162.tif 000004
【図３】
2015114162.tif 000005
【図４】
2015114162.tif 000006
【図５】
2015114162.tif 000007
【図６】
2015114162.tif 000008